(57)【要約】【課題】ゲイン調整によって読み取りを開始できない時間を短くし、速やかに原稿の裏面又は両面を読み取れるようにする。【解決手段】画像読取装置は、原稿搬送ユニット、原稿の裏面を読み取る第１読取ユニット、第１増幅回路、操作パネル、第１制御部を含む。第１制御部は原稿搬送速度の種類ごとに第１増幅回路の第１調整値を設定する。両面読取ジョブの実行開始指示を受け付けたとき、第１制御部は、両面読取ジョブの原稿搬送速度を認識する。第１制御部は、設定中の第１調整値が両面読取ジョブの原稿搬送速度（使用速度）向けの第１調整値であるか否かを確認する。使用速度向けの第１調整値ではないとき、第１制御部は、第１調整値の設定を中断する。【選択図】図１３
2019087812.tif 000002
【特許請求の範囲】
【請求項１】
セットされた原稿を搬送する原稿搬送ユニットと、
第１イメージセンサーを含み、搬送される原稿の裏面を読み取る第１読取ユニットと、
第１増幅回路を含む第１画像信号処理部と、
ジョブに関する操作を受け付ける操作パネルと、
前記第１増幅回路のゲインを調整するための第１調整値を設定する第１制御部を含み、
前記第１増幅回路は、前記第１イメージセンサーが出力する第１画像信号を増幅し、
前記第１画像信号処理部は、増幅後の前記第１画像信号に基づき原稿の裏面の画像データを生成し、
前記第１制御部は、
所定の開始時点に原稿搬送速度の種類ごとの前記第１調整値の設定を開始し、
前記第１調整値の設定の開始後、前記操作パネルが両面を読み取る設定がなされたジョブである両面読取ジョブの実行開始指示を受け付けたとき、前記両面読取ジョブの原稿搬送速度を認識し、
設定中の前記第１調整値が認識した前記原稿搬送速度である使用速度向けの前記第１調整値であるか否かを確認し、
設定中の前記第１調整値が前記使用速度向けの前記第１調整値のとき、前記第１調整値の設定を完了し、
設定中の前記第１調整値が前記使用速度向けの前記第１調整値ではないとき、前記第１調整値の設定を中断し、
中断後、前記使用速度向けの前記第１調整値の設定が完了しているか否かを確認し、
前記第１調整値の設定が完了していないとき、前記使用速度向けの前記第１調整値の設定を開始し、
前記使用速度向けの前記第１調整値の設定が完了しているとき、又は、完了したとき前記使用速度での原稿搬送を前記原稿搬送ユニットに開始させ、
搬送原稿を前記第１読取ユニットに読み取らせることを特徴とする画像読取装置。
【請求項２】
記録データを記憶する記憶部を含み、
前記記録データは、前記ジョブの種類ごとに、ジョブで使用された前記原稿搬送速度を記録したデータであり、
前記操作パネルはジョブの種類の選択を受け付け、
前記第１制御部は、電力供給の開始によるイニシャル動作の開始後、前記操作パネルがジョブの種類の選択を受け付けたとき、前記記録データに基づき、選択されたジョブの種類で最も使用されている前記原稿搬送速度向けの前記第１調整値の設定を開始することを特徴とする請求項１に記載の画像読取装置。
【請求項３】
ある前記原稿搬送速度の前記第１調整値の設定が完了したとき、
前記第１制御部は、前記第１調整値の設定が未完了の前記原稿搬送速度のうち、選択されたジョブの種類で最も使用回数が多い前記原稿搬送速度向けの前記第１調整値の設定を開始することを特徴とする請求項２に記載の画像読取装置。
【請求項４】
前記記憶部は、ジョブの種類ごとに、ジョブの実行回数を記憶し、
前記イニシャル動作の開始後、前記操作パネルがジョブの種類の選択を受け付ける前に前記操作パネルの特定キーが操作されたとき、前記第１制御部は、今まで最も実行回数が多いジョブの種類で最も使用されている前記原稿搬送速度向けの前記第１調整値の設定を開始することを特徴とする請求項２又は３に記載の画像読取装置。
【請求項５】
前記第１制御部は、
前記両面読取ジョブの間、前記第１調整値の設定を行わず、
前記両面読取ジョブの完了後、設定未完了の前記第１調整値の設定を開始することを特徴とする請求項１乃至４の何れか１項に記載の画像読取装置。
【請求項６】
第２イメージセンサーを含み、原稿の表面を読み取る第２読取ユニットと、
第２増幅回路を含む第２画像信号処理部と、
前記第２増幅回路のゲインを調整するための第２調整値を設定する第２制御部を含み、
前記第２増幅回路は、前記第２イメージセンサーが出力する第２画像信号を増幅し、
前記第２画像信号処理部は、増幅後の前記第２画像信号に基づき原稿の表面の画像データを生成し、
前記第２制御部は、
前記開始時点に前記第２調整値の設定を開始し、
前記第２調整値の設定の開始後、前記操作パネルが原稿の片面又は両面を読み取る読取ジョブの実行開始指示を受け付けたとき当該前記読取ジョブの原稿搬送速度を認識し、
設定中の前記第２調整値が認識した前記原稿搬送速度である使用速度向けの前記第２調整値であるか否かを確認し、
設定中の前記第２調整値が前記使用速度向けの前記第２調整値のとき、前記第２調整値の設定を完了し、
設定中の前記第２調整値が前記使用速度向けの前記第２調整値ではないとき、前記第２調整値の設定を中断し、
中断後、前記使用速度向けの前記第２調整値の設定が完了しているか否かを確認し、
前記第２調整値の設定が完了していないとき、前記使用速度向けの前記第２調整値の設定を開始し、
前記使用速度向けの前記第２調整値の設定が完了しているとき、又は、完了したとき、前記第２読取ユニットに原稿を読み取らせることを特徴とする請求項１乃至５の何れか１項に記載の画像読取装置。
【請求項７】
記録データを記憶する記憶部を含み、
前記記録データは、前記ジョブの種類ごとに、ジョブで使用された前記原稿搬送速度を記録したデータであり、
前記操作パネルはジョブの種類の選択を受け付け、
前記第２制御部は、電力供給の開始によるイニシャル動作の開始後、前記操作パネルがジョブの種類の選択を受け付けたとき、前記記録データに基づき、選択されたジョブの種類で最も使用されている前記原稿搬送速度向けの前記第２調整値の設定を開始することを特徴とする請求項６に記載の画像読取装置。
【請求項８】
ある前記原稿搬送速度の前記第２調整値の設定が完了したとき、
前記第２制御部は、前記第２調整値の設定が未完了の前記原稿搬送速度のうち、選択されたジョブの種類で最も使用回数が多い前記原稿搬送速度向けの前記第２調整値の設定を開始することを特徴とする請求項７に記載の画像読取装置。
【請求項９】
前記記憶部は、ジョブの種類ごとに、ジョブの実行回数を記憶し、
前記イニシャル動作の開始後、前記操作パネルがジョブの種類の選択を受け付ける前に前記操作パネルの特定キーが操作されたとき、前記第２制御部は、今まで最も実行回数が多いジョブの種類で最も使用されている前記原稿搬送速度向けの前記第２調整値の設定を開始することを特徴とする請求項７又は８に記載の画像読取装置。
【請求項１０】
前記第２制御部は、
原稿の読み取り中、前記第２調整値の設定を行わず、
原稿の読み取り完了後、設定未完了の前記第２調整値の設定を開始することを特徴とする請求項６乃至９の何れか１項に記載の画像読取装置。
【発明の詳細な説明】
【技術分野】
【０００１】
本発明は、原稿を読みとって得られた画像データに基づきジョブを行う画像読取装置に関する。
【背景技術】
【０００２】
画像読取装置は原稿を読み取って画像データを生成する。表面読取用のイメージセンサーと、裏面読取用のイメージセンサーを画像読取装置に設けることがある。２つのイメージセンサーを設けることにより、１度の搬送で原稿の両面を読み取ることができる。２つのイメージセンサーを含む装置の一例が特許文献１に記載されている。
【０００３】
具体的に、特許文献１には、原稿搬送装置が搬送する原稿の表面情報を第一イメージセンサーで読み取り、電源投入時に第一イメージセンサーのゲイン調整を実行し、搬送される原稿の裏面情報を第二イメージセンサーで読み取り、電源投入時以降、原稿搬送装置が所定の状態にセットされたときに第二イメージセンサーのゲイン調整を実行し、前記原稿搬送装置で搬送される原稿の両面を同時に読取る両面読取モードと、第一イメージセンサーのみで読取る片面読取モードの何れかを選択し、原稿読取動作を起動するスタートキーを含み、片面読取モードが選択されてスタートキーが操作されると、第二イメージセンサーのゲイン調整が可能な状態でもゲイン調整を中止し、第二イメージセンサーのゲイン調整が開始されていても、スタートキーの操作直後に、ゲイン調整を中断する画像形成装置が記載されている。この構成により、原稿の表面情報の読取りを優先して原稿読取動作を速くする（特許文献１：請求項１、段落［００１１］参照）。
【先行技術文献】
【特許文献】
【０００４】
【特許文献１】特許５１７１６５９号公報
【発明の概要】
【発明が解決しようとする課題】
【０００５】
イメージセンサーが出力する画像信号（アナログ信号）を増幅することがある。表面用と裏面用の２つのイメージセンサーを設ける場合、それぞれのイメージセンサーに対し、増幅回路が設けられる。そして、画像読取装置の電源投入時に増幅回路のゲイン調整を行うことがある。原稿の両面を読み取るには、裏面用のイメージセンサーの増幅回路もゲイン調整を行う必要がある。
【０００６】
近年の画像読取装置では、様々な読取設定を行うことができる。読取設定に応じて、画像読取装置での原稿搬送速度を変えることがある。例えば、読取解像度に応じて原稿搬送速度を変えることがある。原稿搬送速度が複数種類ある場合、原稿搬送速度ごとに増幅回路のゲイン調整を行う必要がある。１つの原稿搬送速度のゲイン調整に数秒を要する。従来、原稿搬送速度の全種類のゲイン調整が完了してから原稿の読み取りが開始されている。使用者は全ての原稿搬送速度のゲイン調整が終わるまで読み取りを開始できない。ゲイン調整のため、使用者の待ち時間が長くなることがあるという問題がある。
【０００７】
特許文献１記載の技術では、片面読み取りのとき、裏面用イメージセンサー（第二イメージセンサー）のゲイン調整を中断する。これにより、片面読み取りを速くできる場合がある。しかし、特許文献１記載の技術は、両面読み取りについては考慮していない。両面読み取りの場合、使用者の待ち時間は短くならない。また、特許文献１には原稿搬送速度ごとにゲイン調整を行う点について、記載がない。さらに、片面読み取りでも表面用イメージセンサー（第一イメージセンサー）のゲイン調整は必要である。表面用イメージセンサーのゲイン調整が長引けば、使用者の待ち時間は長くなる。従って、特許文献１記載の技術では、上記の問題を解決することはできない。
【０００８】
本発明は上記従来技術の問題点に鑑み、ゲイン調整によって読み取りを開始できない時間を短くし、速やかに原稿の裏面又は両面を読み取れるようにする。本発明は使い勝手のよい画像読取装置を提供する。
【課題を解決するための手段】
【０００９】
本発明に係る画像読取装置は、原稿搬送ユニット、第１読取ユニット、第１画像信号処理部、操作パネル、第１制御部を含む。原稿搬送ユニットはセットされた原稿を搬送する。第１読取ユニットは第１イメージセンサーを含む。第１読取ユニットは搬送される原稿の裏面を読み取る。第１画像信号処理部は第１増幅回路を含む。操作パネルはジョブに関する操作を受け付ける。第１制御部は前記第１増幅回路のゲインを調整するための第１調整値を設定する。前記第１増幅回路は、前記第１イメージセンサーが出力する第１画像信号を増幅する。前記第１画像信号処理部は、増幅後の前記第１画像信号に基づき原稿の裏面の画像データを生成する。前記第１制御部は、所定の開始時点に原稿搬送速度の種類ごとの前記第１調整値の設定を開始する。前記第１調整値の設定の開始後、前記操作パネルが両面を読み取る設定のジョブである両面読取ジョブの実行開始指示を受け付けたとき、前記第１制御部は、当該前記両面読取ジョブの原稿搬送速度を認識する。前記第１制御部は、設定中の前記第１調整値が認識した前記原稿搬送速度である使用速度向けの前記第１調整値であるか否かを確認する。設定中の前記第１調整値が前記使用速度向けの前記第１調整値のとき、前記第１制御部は、前記第１調整値の設定を完了する。設定中の前記第１調整値が前記使用速度向けの前記第１調整値ではないとき、前記第１制御部は、前記第１調整値の設定を中断する。中断後、前記第１制御部は、前記使用速度向けの前記第１調整値の設定が完了しているか否かを確認する。前記第１調整値の設定が完了していないとき、前記第１制御部は、前記使用速度向けの前記第１調整値の設定を開始する。前記使用速度向けの前記第１調整値の設定が完了しているとき、又は、完了したとき、前記第１制御部は、前記使用速度での原稿搬送を前記原稿搬送ユニットに開始させる。前記第１制御部は、搬送原稿を前記第１読取ユニットに読み取らせる。
【発明の効果】
【００１０】
本発明によれば、ゲイン調整によって読み取りを開始できない時間を短くすることができる。使用者の待ち時間を減らすことができる。速やかに原稿の裏面又は両面を読み取れることができる。使い勝手のよい画像読取装置を提供することができる。
【図面の簡単な説明】
【００１１】
【図１】実施形態に係る複合機の一例を示す図である。
【図２】実施形態に係る各画像読取部の一例を示す図である。
【図３】実施形態に係る各画像読取部の一例を示す図である。
【図４】実施形態に係る第１画像読取部の一例を示す図である。
【図５】実施形態に係る第１増幅回路のゲイン調整の一例を示す図である。
【図６】実施形態に係る第２画像読取部の一例を示す図である。
【図７】実施形態に係る第２増幅回路のゲイン調整の一例を示す図である。
【図８】実施形態に係る第１画像読取部の原稿搬送速度の一例を示す図である。
【図９】実施形態に係る複合機の電力供給の一例を示す図である。
【図１０】実施形態に係る複合機での最初に設定する調整値の決定の流れの一例を示す図である。
【図１１】実施形態にかかる記録データの一例を示す図である。
【図１２】実施形態に係る第１調整値の設定時の処理の流れの一例を示す図である。
【図１３】実施形態に係る第１調整値の設定時の処理の流れの一例を示す図である。
【図１４】実施形態に係る第２調整値の設定時の処理の流れの一例を示す図である。
【図１５】実施形態に係る第２調整値の設定時の処理の流れの一例を示す図である。
【発明を実施するための形態】
【００１２】
以下、図１〜図１５を用い、実施形態に係る画像読取装置を説明する。画像読取装置として、複合機１００を例に挙げて説明する。本実施形態の説明に記載されている構成、配置等の各要素は、発明の範囲を限定せず単なる説明例にすぎない。
【００１３】
（複合機１００）
図１を用いて、実施形態に係る複合機１００を説明する。図１は、実施形態に係る複合機１００の一例を示す図である。
【００１４】
図１に示すように、複合機１００は、主制御部１０１、第１画像読取部１、第２画像読取部２、記憶部３、操作パネル４、印刷部５、通信部６を含む。
【００１５】
主制御部１０１は複合機１００の動作を制御する。主制御部１０１は、コピーや送信のようなジョブでの動作を制御する。主制御部１０１は、ＣＰＵ１０１ａと画像処理回路１０１ｂを含む。記憶部３はＲＡＭ３０、ＲＯＭ３１、ストレージ３２（ＨＤＤ又はＳＳＤ）を含む。主制御部１０１は、記憶部３のプログラムやデータに基づき、各部を制御する。第１画像読取部１と第２画像読取部２は、原稿を読み取って画像データを生成する。画像処理回路１０１ｂは、第１画像読取部１、第２画像読取部２が生成した画像データの画像処理を行う。
【００１６】
操作パネル４は使用者の設定を受け付ける。操作パネル４は、表示パネル４１、タッチパネル４２、ハードキー４３を含む。主制御部１０１は、メッセージ、設定用画面を表示パネル４１に表示させる。主制御部１０１は、操作用画像を表示パネル４１に表示させる。例えば、操作用画像はボタン、キー、タブである。タッチパネル４２の出力に基づき、主制御部１０１は、操作された操作用画像を認識する。ハードキー４３はスタートキー４３ａやテンキーを含む。タッチパネル４２、ハードキー４３は使用者の設定操作（ジョブに関する操作）を受け付ける。例えば、操作パネル４は、原稿の両面を読み取るジョブの設定を受け付ける。主制御部１０１は操作パネル４の出力に基づき設定内容を認識する。
【００１７】
印刷部５は、給紙部５ａ、用紙搬送部５ｂ、画像形成部５ｃ、定着部５ｄ、両面搬送部５ｅを含む。印刷ジョブのとき、主制御部１０１は用紙を給紙部５ａに供給させる。主制御部１０１は用紙を用紙搬送部５ｂに搬送させる。用紙搬送部５ｂは印刷済み用紙を機外に排出する。主制御部１０１は画像データに基づくトナー像を画像形成部５ｃに形成させる。主制御部１０１は搬送用紙へのトナー像の転写を画像形成部５ｃに行わせる。主制御部１０１は転写されたトナー像の用紙への定着を定着部５ｄに行わせる。両面印刷のとき、主制御部１０１は両面搬送部５ｅを動作させる。両面搬送部５ｅは片面印刷済の用紙の表裏を反転させる。両面搬送部５ｅは、表裏を反転させた用紙を画像形成部５ｃの上流に送り返す。これにより、用紙が再度、画像形成部５ｃに送り込まれる。
【００１８】
通信部６は、通信用のハードウェア（通信回路）とソフトウェアを含む。通信部６はコンピューター２００やＦＡＸ装置３００と通信する。コンピューター２００は、例えば、ＰＣやサーバーである。
【００１９】
複合機１００では、原稿を読み取って得られた画像データに基づくジョブを実行することができる。原稿の画像データに基づくジョブとしては、コピージョブ、送信ジョブ、ＦＡＸ送信ジョブがある。コピージョブのとき、主制御部１０１は、原稿の画像データに基づき、印刷部５に印刷させる。送信ジョブのとき、主制御部１０１は、操作パネル４で設定された宛先（コンピューター２００）に向けて、原稿の画像データに基づく画像ファイルを通信部６に送信させる。ＦＡＸ送信ジョブのとき、主制御部１０１は、操作パネル４で設定されたＦＡＸ装置３００に向けて、原稿の画像データに基づくＦＡＸデータを通信部６に送信させる。
【００２０】
（第１画像読取部１と第２画像読取部２）
次に、図２、３を用いて、実施形態に係る第１画像読取部１と第２画像読取部２の一例を説明する。図２、図３は、実施形態に係る各画像読取部の一例を示す図である。
【００２１】
図２に示すように、第１画像読取部１は第２画像読取部２の上方に設けられる。第１画像読取部１は原稿を搬送する。第１画像読取部１は、ＤＰやＡＤＦと略称されることもある。第１画像読取部１は、第２画像読取部２に対し上下方向に開閉する。第１画像読取部１は原稿を上方から押さえるカバーとして機能する。表面が上向きになるように、使用者は第１画像読取部１に原稿をセットする。
【００２２】
第１画像読取部１は、セット原稿を１枚ずつ搬送する。第１画像読取部１は、送り読取用コンタクトガラス２ａ（読み取り位置）に向けて原稿を搬送する。第１画像読取部１は原稿搬送ユニット１１を含む。原稿搬送ユニット１１は、セットされた原稿を搬送する装置である。原稿搬送ユニット１１は、原稿搬送方向上流側から順に、原稿トレイ１ａ、供給ローラー１ｂ、原稿搬送路１ｃ、複数の搬送ローラー対１ｄ、排出ローラー対１ｅ、排出トレイ１ｆを含む。原稿は原稿搬送路１ｃを通る。供給ローラー１ｂ、複数の搬送ローラー対１ｄ、排出ローラー対１ｅは、原稿を１枚ずつ排出トレイ１ｆに向けて搬送する。
【００２３】
原稿トレイ１ａには、原稿セットセンサー１３が設けられる。原稿セットセンサー１３の出力は主制御部１０１に入力される。原稿セットセンサー１３の出力に基づき、主制御部１０１は、原稿トレイ１ａ上の用紙の有無を認識する。原稿トレイ１ａに１又は複数枚の原稿がセットされる。
【００２４】
図３に示すように、第１制御部１０が第１画像読取部１内に設けられる。第１制御部１０は処理回路（ＣＰＵやＡＳＩＣ）やメモリーを含む基板である。また、第１画像読取部１は第１読取ユニット１２を含む。第１読取ユニット１２は、ＣＩＳ方式のスキャンユニットである。第１読取ユニット１２は原稿の搬送経路に面する。第１読取ユニット１２は第１ランプ１６と第１イメージセンサー１７を含む（図４参照）。第１ランプ１６は原稿の表面に光を照射する。第１イメージセンサー１７は主走査方向に並べられた複数の受光素子（画素）を含む。第１イメージセンサー１７はカラーでの読み取りに対応している。そのため、第１イメージセンサー１７は、少なくともＲ、Ｇ、Ｂのラインセンサーを含む。各受光素子は受光した原稿の反射光の光量に応じたアナログ電気信号を出力する。
【００２５】
第２画像読取部２は原稿の表面を読み取る。第２画像読取部２は表面の画像データを生成する。第２画像読取部２の上面に送り読取用コンタクトガラス２ａと載置読取用コンタクトガラス２ｂが設けられる。載置読取用コンタクトガラス２ｂの左側に送り読取用コンタクトガラス２ａが設けられる。載置読取用コンタクトガラス２ｂには、書籍のような原稿がセットされる。第２画像読取部２は、載置読取用コンタクトガラス２ｂにセットされた原稿を読み取る（テーブル読み取り）。または、第２画像読取部２は、第１画像読取部１が搬送する原稿を読み取る（送り読み取り）。
【００２６】
図３に示すように、第２画像読取部２は、第２制御部２０を含む。第２制御部２０は第２画像読取部２の動作を制御する。第２制御部２０は、処理回路（ＣＰＵやＡＳＩＣ）、メモリー、その他の回路を含む基板である。第２制御部２０と第１制御部１０に、同じ処理回路を用いてもよいし、異なる処理回路を用いてもよい。第２制御部２０は、主制御部１０１からの指示、信号に基づき、原稿の読み取りを行う。
【００２７】
また、図２に示すように、第２画像読取部２は、第２読取ユニット２１、ワイヤー２ｃ、巻取ドラム２ｄを含む。第２読取ユニット２１は、ＣＣＤ方式のスキャンユニットである。第２読取ユニット２１はＣＩＳ型のスキャンユニットでもよい。第２読取ユニット２１は、第１移動枠２ｅ、第２移動枠２ｆ、レンズ２ｇ、第２イメージセンサー２５を含む。第１移動枠２ｅは第２移動枠２ｆの上方に配される。第１移動枠２ｅは、第２ランプ２４、第第１ミラー２ｈを含む。第２移動枠２ｆは、第２ミラー２ｉと第３ミラー２ｊを含む。又、第２ランプ２４と各ミラーは、主走査方向を長手方向とする。各ミラーは原稿の反射光をレンズ２ｇに導く。レンズ２ｇは、原稿の反射光を集光し、第２イメージセンサー２５に入射する。第２イメージセンサー２５は主走査方向に並べられた複数の受光素子（画素）を含む。第２イメージセンサー２５もカラーでの読み取りに対応している。そのため、第２イメージセンサー２５も、少なくともＲ、Ｇ、Ｂのラインセンサーを含む。各受光素子は受光した原稿の反射光の光量に応じたアナログ電気信号を出力する。
【００２８】
ワイヤー２ｃは第２読取ユニット２１と巻取ドラム２ｄに接続される。巻取ドラム２ｄは、正逆回転する巻取モーター２２（図３参照）により回転する。テーブル読み取りのとき、第２制御部２０は、巻取ドラム２ｄを回転させる。第２読取ユニット２１は水平方向（副走査方向、図２の左右方向）に移動する。搬送原稿を読み取るとき、第２制御部２０は、送り読取用コンタクトガラス２ａの下方に第２読取ユニット２１を配置する。
【００２９】
操作パネル４は、原稿の片面を読み取るか、両面を読み取るかの設定を受け付ける。片面を読み取るジョブのとき、主制御部１０１は、原稿セットセンサー１３の出力に基づき、第１画像読取部１（原稿トレイ１ａ）に原稿がセットされているか否かを確認する。原稿トレイ１ａに原稿がセットされているとき、主制御部１０１は、第１制御部１０と第２制御部２０に送り読取要求を出す。送り読取要求に基づき、第１制御部１０は原稿搬送モーター１４を駆動させる。原稿搬送モーター１４により、供給ローラー１ｂや搬送ローラー対１ｄが回転する。そして原稿は読み取り位置に向けて搬送される。原稿は、送り読取用コンタクトガラス２ａの上側（一方側）を通過する。第２画像読取部２は、第２読取ユニット２１の読み取り位置を送り読取用コンタクトガラス２ａの下方とする。第２読取ユニット２１は搬送原稿の表面を読み取る。
【００３０】
片面を読み取るジョブで原稿トレイ１ａに原稿がセットされていないとき、主制御部１０１は、第２画像読取部２にテーブル読取要求を出す。テーブル読取要求に基づき、第２画像読取部２は、巻取モーター２２（図３参照）を回転させる。第２画像読取部２は読み取り位置を副走査方向で移動させる。第２画像読取部２は、載置読取用コンタクトガラス２ｂにセットされた原稿を読み取る。
【００３１】
両面を読み取るジョブ（両面読取ジョブ）のとき、主制御部１０１は、原稿セットセンサー１３の出力に基づき、第１画像読取部１（原稿トレイ１ａ）に原稿がセットされているか否かを確認する。原稿トレイ１ａに原稿がセットされているとき、主制御部１０１は、第１制御部１０と第２制御部２０に両面読取要求を出す。両面読取要求に基づき、第１制御部１０は原稿搬送モーター１４を駆動させる。これにより、原稿が１枚ずつ搬送される。第１制御部１０は、搬送原稿の裏面を第１読取ユニット１２に読み取らせる。また、第２制御部２０は、送り読取用コンタクトガラス２ａを通過する原稿を第２読取ユニット２１に読み取らせる。
【００３２】
第１画像読取部１は第１画像信号処理部１５を含む。第１画像信号処理部１５は、第１イメージセンサー１７の出力に基づき、裏面の画像データを生成する。第２画像読取部２は第２画像信号処理部２３を含む。第２画像信号処理部２３は、第２イメージセンサー２５の出力に基づき、裏面の画像データを生成する。
【００３３】
（第１画像読取部１での画像データの生成）
次に、図４を用いて、実施形態に係る第１画像読取部１での画像データの生成の流れの一例を説明する。図４は、実施形態に係る第１画像読取部１の一例を示す図である。
【００３４】
第１画像読取部１は、第１読取ユニット１２、第１画像信号処理部１５を含む。第１読取ユニット１２は第１ランプ１６、第１イメージセンサー１７を含む。第１画像信号処理部１５は、第１ＡＦＥ１８（アナログフロントエンド）、第１Ａ／Ｄ変換回路１１０、第１補正回路１１１を含む。
【００３５】
第１読取ユニット１２に読み取りを行わせるとき、第１制御部１０は、第１ランプ１６を点灯させる。これにより、原稿の裏面に光が照射される。第１イメージセンサー１７は、原稿の反射光を受ける。第１イメージセンサー１７の各受光素子は、受光量に応じたアナログ信号（第１画像信号Ｓ１）を出力する。第１イメージセンサー１７はカラーで原稿を読み取る。各受光素子の第１画像信号Ｓ１は、第１画像信号処理部１５（第１ＡＦＥ１８）に入力される。
【００３６】
第１ＡＦＥ１８は、第１画像信号Ｓ１を処理する。例えば、第１ＡＦＥ１８は、第１増幅回路１９を含む。第１増幅回路１９は第１画像信号Ｓ１を増幅する。第１増幅回路１９は、色成分（Ｒ、Ｇ、Ｂのラインセンサー）につき、１つ設けてもよい。図４では、便宜上、第１増幅回路１９を１つのみ図示している。なお、第１ＡＦＥ１８は第１画像信号Ｓ１の補正を行ってもよい。例えば、相関二重サンプリング法に基づくノイズ除去や、第１画像信号Ｓ１のオフセット補正を行ってもよい。
【００３７】
第１ＡＦＥ１８が処理した第１画像信号Ｓ１は、第１Ａ／Ｄ変換回路１１０に入力される。第１Ａ／Ｄ変換回路１１０は各受光素子のアナログ信号（第１画像信号Ｓ１）をディジタル値に変換する。第１Ａ／Ｄ変換回路１１０は、例えば、１つの色成分につき、８ビット又は１０ビットのデータに変換する。これにより、裏面の画像データが生成される。第１補正回路１１１は、読み取りに起因する濃度の歪みを補正する。例えば、第１補正回路１１１はシェーディング補正を行う。第１画像信号処理部１５により生成された各ラインの画像データは、ＲＡＭ３０に出力される。モノクロ（白黒）のジョブのとき、画像処理回路１０１ｂは、カラーの画像データからモノクロの画像データを生成してもよい。
【００３８】
（第１増幅回路１９のゲイン調整）
次に、図５を用いて、実施形態に係る第１増幅回路１９のゲイン調整の一例を説明する。図５は、実施形態に係る第１増幅回路１９のゲイン調整の一例を示す図である。
【００３９】
第１増幅回路１９はゲイン（増幅率）可変型の増幅回路である。第１制御部１０は、ゲインを制御するための第１制御信号Ｃ１を入力する。第１制御信号Ｃ１により、第１増幅回路１９のゲインを設定することができる。第１増幅回路１９は、第１制御信号Ｃ１の大きさ（電圧値）に応じたゲインを選択する。例えば、第１制御信号Ｃ１の電圧値が大きいほど、第１増幅回路１９はゲインを大きくする。
【００４０】
ダイナミックレンジが広くなるように、ゲインの調整が行われる。ゲインを調整するとき、第１制御部１０は第１ランプ１６を点灯させる。第１読取ユニット１２の向かいに白基準ローラー１ｇが設けられる（図２参照）。第１読取ユニット１２は白基準ローラー１ｇを読み取る。白基準ローラー１ｇの読み取り時、第１制御部１０は白基準ローラー１ｇを回転させてもよい。
【００４１】
白基準ローラー１ｇの読み取って得られた画像データがＲＡＭ３０に記憶される。第１制御部１０は白基準ローラー１ｇの読み取りで得られた画像データの各画素の平均値を求める。第１制御部１０は、色成分ごと（Ｒ、Ｇ、Ｂごと）に平均値を求める。第１制御部１０は、求めた平均値が予め定められた第１基準範囲７１ａ内であるか否かを確認する。第１基準範囲７１ａは、最も明るい画素値（真っ白の値）を含まない。２５６階調（８ビット）、値が大きいほど明るい（白い）とき、第１基準範囲７１ａは、２５５未満とする（例えば、２４５〜２５０程度）。
【００４２】
ゲイン調整の開始時、例えば、第１制御部１０は、第１増幅回路１９のゲインを最小に設定する。平均値が第１基準範囲７１ａになるまで、第１増幅回路１９のゲインを１又は数段階ずつ大きくする。平均値が第１基準範囲７１ａを超えたとき、第１増幅回路１９のゲインを１段階小さくする。ゲインを変更したとき、第１制御部１０は、再度、白基準ローラー１ｇを第１読取ユニット１２に読み取らせる。第１制御部１０は、平均値が第１基準範囲７１ａに収まるときの第１制御信号Ｃ１の値を第１調整値７１として記憶部３に記憶させる。第１制御部１０は色成分ごと（第１増幅回路１９ごと）に、第１調整値７１を取得する。原稿を読み取るとき、第１制御部１０は、第１調整値７１の大きさの第１制御信号Ｃ１を各第１増幅回路１９に入力する。第１増幅回路１９は、第１調整値７１に応じたゲインに設定される。
【００４３】
（第２画像読取部２での画像データの生成）
次に、図６を用いて、実施形態に係る第２画像読取部２での画像データの生成の流れの一例を説明する。図６は、実施形態に係る第２画像読取部２の一例を示す図である。
【００４４】
第２画像読取部２は、第２読取ユニット２１、第２画像信号処理部２３を含む。第２読取ユニット２１は第２ランプ２４、第２イメージセンサー２５を含む。第２画像信号処理部２３は、第２ＡＦＥ２６（アナログフロントエンド）、第２Ａ／Ｄ変換回路２８、第２補正回路２９を含む。
【００４５】
第２読取ユニット２１に読み取りを行わせるとき、第２制御部２０は、第２ランプ２４を点灯させる。これにより、原稿の裏面に光が照射される。第２イメージセンサー２５は、原稿の反射光を受ける。第２イメージセンサー２５の各受光素子は、受光量に応じたアナログ信号（第２画像信号Ｓ２）を出力する。第２イメージセンサー２５はカラーで原稿を読み取る。各受光素子の第２画像信号Ｓ２は、第２画像信号処理部２３（第２ＡＦＥ２６）に入力される。
【００４６】
第２ＡＦＥ２６は、第２画像信号Ｓ２を処理する。例えば、第２ＡＦＥ２６は、第２増幅回路２７を含む。第２増幅回路２７は第２画像信号Ｓ２を増幅する。第２増幅回路２７は、色成分（Ｒ、Ｇ、Ｂのラインセンサー）につき、１つ設けてもよい。図４では、便宜上、第２増幅回路２７を１つのみ図示している。なお、第２ＡＦＥ２６は第２画像信号Ｓ２の補正を行ってもよい。例えば、相関二重サンプリング法に基づくノイズ除去や、第２画像信号Ｓ２のオフセット補正を行ってもよい。
【００４７】
第２ＡＦＥ２６が処理した第２画像信号Ｓ２は、第２Ａ／Ｄ変換回路２８に入力される。第２Ａ／Ｄ変換回路２８は各受光素子のアナログ信号（第２画像信号Ｓ２）をディジタル値に変換する。第２Ａ／Ｄ変換回路２８は、例えば、１つの色成分につき、８ビット又は１０ビットのデータに変換する。これにより、表面の画像データが生成される。第２補正回路２９は、読み取りに起因する濃度の歪みを補正する。例えば、第２補正回路２９はシェーディング補正を行う。第２画像信号処理部２３により生成された各ラインの画像データは、ＲＡＭ３０に出力される。
【００４８】
（第２増幅回路２７のゲイン調整）
次に、図７を用いて、実施形態に係る第２増幅回路２７のゲイン調整の一例を説明する。図７は、実施形態に係る第２増幅回路２７のゲイン調整の一例を示す図である。
【００４９】
第２増幅回路２７はゲイン（増幅率）可変型の増幅回路である。第２制御部２０は、ゲインを制御するための第２制御信号Ｃ２を入力する。第２制御信号Ｃ２により、第２増幅回路２７のゲインを設定することができる。本実施形態の第２増幅回路２７は、第２制御信号Ｃ２の大きさ（電圧値）に応じたゲインを選択する。例えば、第２制御信号Ｃ２の電圧値が大きいほど、第２増幅回路２７はゲインを大きくする。
【００５０】
ダイナミックレンジが広くなるように、ゲインの調整が行われる。ゲインを調整するとき、第２制御部２０は第２ランプ２４を点灯させる。載置読取用コンタクトガラス２ｂと送り読取用コンタクトガラス２ａの間の下面に白基準板２ｋが設けられる（図２参照）。第２読取ユニット２１は白基準板２ｋを読み取る。
【００５１】
白基準板２ｋの読み取って得られた画像データがＲＡＭ３０に記憶される。第２制御部２０は白基準板２ｋの読み取りで得られた画像データの各画素の平均値を求める。第２制御部２０は、色成分ごと（Ｒ、Ｇ、Ｂごと）に平均値を求める。第２制御部２０は、求めた平均値が予め定められた第２基準範囲７２ａ内であるか否かを確認する。第２基準範囲７２ａは最も明るい画素値（真っ白の値）を含まない。２５６階調（８ビット）、値が大きいほど明るい（白い）とき、第２基準範囲７２ａは２５５未満とする。（例えば、２４５〜２５０程度）
【００５２】
ゲイン調整の開始時、例えば、第２制御部２０は、第２増幅回路２７のゲインを最小に設定する。平均値が第２基準範囲７２ａになるまで、第２増幅回路２７のゲインを１又は数段階ずつ大きくする。ゲインを変更したとき、第２制御部２０は、再度、白基準板２ｋを第２読取ユニット２１に読み取らせる。平均値が第２基準範囲７２ａを超えたとき、第２増幅回路２７のゲインを１段階小さくする。第２制御部２０は、平均値が第２基準範囲７２ａに収まるときの第２制御信号Ｃ２の値を第２調整値７２として記憶部３に記憶させる。第２制御部２０は色成分ごと（第２増幅回路２７ごと）に、第２調整値７２を取得する。原稿を読み取るとき、第２制御部２０は、第２調整値７２の大きさの第２制御信号Ｃ２を各第２増幅回路２７に入力する。第２増幅回路２７は、第２調整値７２に応じたゲインに設定される。
【００５３】
（原稿搬送速度）
次に、図８を用いて、実施形態に係る第１画像読取部１の原稿搬送速度の一例を説明する。図８は、実施形態に係る第１画像読取部１の原稿搬送速度の一例を示す図である。
【００５４】
実施形態に係る複合機１００では、操作パネル４での設定に応じて原稿搬送速度を変える。具体的に、第１制御部１０は、読取解像度が大きいほど、原稿搬送速度を遅くする。操作パネル４は読取解像度の設定を受け付ける。例えば、読取解像度として、６００ｄｐｉと３００ｄｐｉを選択することができる。原稿搬送速度が一定の場合、読取解像度が高いほど１ラインの読み取り時間は短くなる。読み取り時間が短すぎると、適切に原稿を読み取ることができない。そこで、読取解像度が大きいほど、第１制御部１０は原稿搬送速度を遅くする。
【００５５】
また、６００ｄｐｉでは、第１制御部１０は、カラー読み取りでの原稿搬送速度を、モノクロ（白黒）読み取りでの原稿搬送速度よりも遅くする。設定に応じた原稿搬送速度の一例を図８に示す。カラーで６００ｄｐｉの読み取りのとき、第１制御部１０は、第１原稿搬送速度で原稿を搬送する。モノクロで６００ｄｐｉの読み取りのとき、第１制御部１０は、第２原稿搬送速度で原稿を搬送する。カラーで３００ｄｐｉ又はモノクロで３００ｄｐｉの読み取りのとき、第１制御部１０は、第３原稿搬送速度で原稿を搬送する。第３原稿搬送速度＞第２原稿搬送速度＞第１原稿搬送速度の関係がある。例えば、第１原稿搬送速度＝２５０ｍｍ／ｓ、第２原稿搬送速度＝３００ｍｍ／ｓ、第３原稿搬送速度＝４００ｍｍ／ｓである。原稿搬送速度の種類は、２種類でもよいし、３種類以上でもよい。
【００５６】
なお、テーブル読取のとき、第２制御部２０は、第２読取ユニット２１のうち、第１移動枠２ｅを原稿搬送速度と同じ速度で移動させる。カラーで６００ｄｐｉの読み取りのとき、第２制御部２０は、第１原稿搬送速度で第１移動枠２ｅを移動させる。モノクロで６００ｄｐｉの読み取りのとき、第２制御部２０は、第２原稿搬送速度で第１移動枠２ｅを移動させる。カラーで３００ｄｐｉ又はモノクロで３００ｄｐｉの読み取りのとき、第１制御部１０は、第３原稿搬送速度で第１移動枠２ｅを移動させる。また、第２移動枠２ｆは、第１移動枠２ｅの半速で移動するようになっている。
【００５７】
読取画像データの画質を高くするため、第１制御部１０は、原稿搬送速度ごとに第１調整値７１を設定する。具体的に、第１制御部１０は、第１原稿搬送速度向けの第１調整値７１と、第２原稿搬送速度向けの第１調整値７１と、第３原稿搬送速度向けの第１調整値７１を設定する。
【００５８】
また、第２制御部２０は、原稿搬送速度ごとに第２調整値７２を設定する。具体的に、第２制御部２０は、第１原稿搬送速度向けの第２調整値７２と、第２原稿搬送速度向けの第２調整値７２と、第３原稿搬送速度向けの第２調整値７２を設定する。
【００５９】
（ゲイン調整の実行タイミング）
次に、図９を用いて、実施形態に係る複合機１００でのゲイン調整の実行タイミングの一例を説明する。図９は実施形態に係る複合機１００の電力供給の一例を示す図である。
【００６０】
複合機１００は電源装置９を含む。電源装置９は商用電源４００（コンセント）から電力の供給を受ける。電源装置９は、電源制御部９０、１次電源回路９１、２次電源回路９２、電力供給制御用スイッチ９３を含む。電源制御部９０は、各部への電力供給を制御する。１次電源回路９１は入力された交流電力を整流する。１次電源回路９１は、例えばスイッチング電源回路である。１次電源回路９１は予め設定された大きさの直流電圧を出力する。１次電源回路９１はモーター駆動用の直流電圧（例えば、ＤＣ２４Ｖ）を出力する。
【００６１】
２次電源回路９２は１次電源回路９１が生成した電圧を降圧する。２次電源回路９２は、予め設定された大きさの直流電圧を出力する。２次電源回路９２は、例えば、ＤＣＤＣコンバーターである。２次電源回路９２は、各部の回路、素子の動作に必要な電圧を生成する。複数種の電圧が必要なため、２次電源回路９２は複数設けられる。
【００６２】
複合機１００はアクティブモードと省電力モード（スリープモード）を備える。アクティブモードで予め定められた移行条件が満たされたとき、主制御部１０１は、複合機１００を省電力モードとする。移行条件は適宜定められる。例えば、ジョブ終了から、又は、最後の操作パネル４への操作から予め定められた移行時間が経過したとき、主制御部１０１は移行条件が満たされたと判定する。
【００６３】
省電力モードでは、予め定められた供給停止部分への電力供給が停止される。図９のうち、供給停止部分は、第１画像読取部１、第２画像読取部２、操作パネル４、印刷部５である。供給停止部分への電力供給のＯＮ／ＯＦＦのため、電力供給制御用スイッチ９３が設けられる。主制御部１０１から省電力モードへの移行指示を受信したとき、電源制御部９０は、電力供給制御用スイッチ９３をＯＦＦにする。これにより、待機状態の複合機１００の消費電力を下げることができる。なお、主制御部１０１、記憶部３、通信部６への電力供給は省電力モードでも行われる。
【００６４】
省電力モードで予め定められた復帰条件が満たされたとき、主制御部１０１は複合機１００をアクティブモードとする。復帰条件は適宜定められる。例えば、複合機１００に設けられた復帰ボタンが操作されたことや、コンピューター２００やＦＡＸ装置３００から印刷用データを受信したことが復帰条件とされる。主制御部１０１は復帰条件が満たされたことを認識する。主制御部１０１からアクティブモードへの復帰指示を受信したとき、電源制御部９０は、電力供給制御用スイッチ９３をＯＮにする。これにより、供給停止部分への電力供給が再開される。
【００６５】
複合機１００の主電源ＯＮ又はアクティブモードへの復帰により、第１画像読取部１と第２画像読取部２への電力供給が開始される。電力供給が開始されたとき、第１画像読取部１と第２画像読取部２はイニシャル動作を行う（起動する）。まず、第１制御部１０と第２制御部２０は、イニシャル動作（起動処理）を開始する。イニシャル動作は、第１画像読取部１と第２画像読取部２を使用できるようにするための処理を含む。第１制御部１０は、イニシャル動作の１つとして、第１増幅回路１９のゲイン調整（第１調整値７１の設定）を行う。原稿搬送速度ごとに、１ラインの読み取り時間（受光素子の電荷蓄積期間）が変わる。そのため、第１制御部１０は、原稿搬送速度ごとに第１調整値７１を設定する。第２制御部２０は、イニシャル動作の１つとして、第２増幅回路２７のゲイン調整（第２調整値７２の設定）を行う。第２制御部２０も、原稿搬送速度ごとに第２調整値７２を設定する。
【００６６】
（最初に設定する調整値の決定）
次に、図１０、図１１を用いて、実施形態に係る複合機１００で最初に設定する調整値の決定の流れの一例を説明する。図１０は、実施形態に係る複合機１００での最初に設定する調整値の決定の流れの一例を示す図である。図１１は、実施形態にかかる記録データＤ１の一例を示す図である。
【００６７】
図１０のスタートは、主電源投入時点、又は、復帰条件が満たされた時点である。言い換えると、電源装置９が操作パネル４、第１画像読取部１、第２画像読取部２への電力供給を開始した時点である。これにより、操作パネル４が操作を受け付ける状態となる。また、第１画像読取部１と第２画像読取部２は、イニシャル動作を開始する。
【００６８】
操作パネル４の出力に基づき、主制御部１０１は、操作パネル４に設けられた特定キーが操作されたか否かを確認する（ステップ♯１１）。特定キーは、例えば、スタートキー４３ａである。特定キーは、スタートキー４３ａ以外のキーでもよい。特定キーが操作されていないとき（ステップ♯１１のＮｏ）、主制御部１０１は、ジョブの種類が選択されたか否かを確認する（ステップ♯１２）。ジョブの種類が選択されていないとき（ステップ♯１２のＮｏ）、フローはステップ♯１１に戻る。
【００６９】
ジョブの種類が選択されたとき（ステップ♯１２のＹｅｓ）、主制御部１０１は選択されたジョブの種類を第１制御部１０と第２制御部２０に通知する。操作パネル４が直接、第１制御部１０と第２制御部２０に選択されたジョブの種類を通知してもよい。
【００７０】
第１制御部１０と第２制御部２０は、選択されたジョブの種類で最も使用されている原稿搬送速度を認識する（ステップ♯１３）。第１制御部１０と第２制御部２０は、記録データＤ１に基づき、最も使用されている原稿搬送速度を認識する。例えば、コピージョブが選択されたとき、第１制御部１０と第２制御部２０は、コピージョブで最も使用されている原稿搬送速度を認識する。
【００７１】
図１１は、記録データＤ１の一例である。記憶部３は不揮発的に記録データＤ１を記憶する。記録データＤ１は、ジョブで使用された原稿搬送速度の記録である。言い換えると、記録データＤ１は、各原稿搬送速度がジョブで使用された回数を示すデータである。原稿搬送速度がジョブで使用された回数は、ジョブの種類ごとに記憶される。ジョブが完了するごとに、主制御部１０１は、記録データＤ１を更新する。主制御部１０１は、使用された原稿搬送速度、及び、完了した種類のジョブに対応する回数値に１を加算する。
【００７２】
図１１では、原稿搬送速度が第１〜第３原稿搬送速度の３種類である例を示している。原稿を読み取るジョブの種類は、コピージョブ、送信ジョブ、ＦＡＸ送信ジョブの３種類である例を示している。ジョブの種類は更に多くてもよい。主制御部１０１は、ジョブの種類ごとに、ジョブ実行回数（合計）を記録データＤ１に含める。合計の欄の値は、第１〜第３原稿搬送速度の使用回数の合計値である。
【００７３】
ステップ♯１３のとき、第１制御部１０と第２制御部２０は記録データＤ１を参照する。そして、第１制御部１０と第２制御部２０は、選択されたジョブの種類で最も使用されている原稿搬送速度を認識する。第１制御部１０と第２制御部２０は、最も使用されている原稿搬送速度向けの第１調整値７１と第２調整値７２から設定を開始する（ステップ♯１４）。これにより、イニシャル動作開始後、どの原稿搬送速度向けの調整値から設定するかが決まる。そして、本フローは終了する（エンド）。
【００７４】
一方、ジョブの種類の選択前に特定キーが操作されたとき（ステップ♯１１のＹｅｓ）、主制御部１０１は特定キーが操作されたことを第１制御部１０と第２制御部２０に通知する（ステップ♯１５）。操作パネル４が直接、第１制御部１０と第２制御部２０に特定キーが操作されたことを通知してもよい。
【００７５】
特定キーが操作されたことの通知を受けたとき、第１制御部１０と第２制御部２０は、今まで最も実行回数が多いジョブの種類で最も使用されている原稿搬送速度を認識する（ステップ♯１６）。第１制御部１０と第２制御部２０は、記録データＤ１に基づき、今まで最も実行回数が多いジョブの種類を認識する。さらに、第１制御部１０と第２制御部２０は、記録データＤ１に基づき、認識したジョブの種類で最も使用されている原稿搬送速度を認識する。例えば、コピージョブの実行回数が最も多いとき、第１制御部１０と第２制御部２０は、コピージョブで最も使用されている原稿搬送速度を認識する。そして、第１制御部１０と第２制御部２０は、認識した原稿搬送速度向けの第１調整値７１と第２調整値７２から設定を開始する（ステップ♯１７）。これにより、イニシャル動作開始後、どの原稿搬送速度向けの調整値から設定するかが決まる。そして、本フローは終了する（エンド）。
【００７６】
なお、操作パネル４でのジョブの種類の選択、又は、特定キーが操作されない限り、第１調整値７１と第２調整値７２の設定が開始されない。場合によっては、アクティブモードになっても、第１調整値７１と第２調整値７２の設定がなされないまま、省電力モードに移行する場合がある。例えば、コンピューター２００から送信されたデータに基づくプリントジョブを行った後、移行時間が経過したとき、各調整値の設定をしていない状態で、主制御部１０１は複合機１００のモードを省電力モードに戻す。無駄な調整値の設定を無くすことができる。複合機１００の消費電力を減らすことができる。
【００７７】
（第１調整値７１の設定時の処理）
次に、図１２、図１３を用いて、実施形態に係る第１調整値７１の設定時の処理の流れの一例を説明する。図１２、図１３は、実施形態に係る第１調整値７１の設定時の処理の流れの一例を示す図である。
【００７８】
図１２のスタートは、第１調整値７１の設定を開始した時点である。主制御部１０１は、原稿の表面と裏面を読み取るジョブ（両面読取ジョブ）の実行開始指示を受け付けたか否かを確認する（ステップ♯２１）。操作パネル４の出力に基づき、主制御部１０１は両面読取が設定されたジョブについて、スタートキー４３ａが操作されたことを認識する。両面読取ジョブの実行開始指示がなされたとき、主制御部１０１は、両面読取指示を第１制御部１０に通知する。
【００７９】
操作パネル４が両面読取ジョブの実行開始指示を受け付けていないとき（ステップ♯２１のＮｏ）、第１制御部１０は、設定中の第１調整値７１の設定が完了したか否かを確認する（ステップ♯２２）。完了していないとき（ステップ♯２２のＮｏ）、フローはステップ♯２１に戻る。第１制御部１０は、設定中の原稿搬送速度向けの第１調整値７１の設定を続ける。
【００８０】
完了したとき（ステップ♯２２のＹｅｓ）、第１制御部１０は、全ての原稿搬送速度向けの第１調整値７１の設定が完了したか否かを確認する（ステップ♯２３）。完了したとき（ステップ♯２３のＹｅｓ）、第１制御部１０は本フローを終了させる（エンド）。
【００８１】
完了していないとき（ステップ♯２３のＮｏ）、第１制御部１０は、次に設定対象とする原稿搬送速度を決定する（ステップ♯２４）。操作パネル４でジョブの種類が選択されているとき、第１制御部１０は、第１調整値７１の設定が未完了の原稿搬送速度のうち、選択されたジョブの種類で最も使用回数が多い原稿搬送速度を設定対象とする。操作パネル４でジョブの種類が選択されていないとき、第１制御部１０は、実行回数が最も多いジョブの種類を認識する。そして、第１制御部１０は、第１調整値７１の設定が未完了の原稿搬送速度のうち、認識したジョブの種類で最も使用回数が多い原稿搬送速度を設定対象とする。第１制御部１０は、決定した原稿搬送速度向けの第１調整値７１の設定を開始する（ステップ♯２５）。
【００８２】
操作パネル４が両面読取ジョブの実行開始指示を受け付けたとき（ステップ♯２１のＹｅｓ）、第１制御部１０は実行開始指示がなされた両面読取ジョブの原稿搬送速度を認識する（ステップ♯２６）。主制御部１０１は、両面読取指示とともに、両面読取ジョブの原稿搬送速度を第１制御部１０に通知する。そして、第１制御部１０は、認識した原稿搬送速度（両面読取ジョブの原稿搬送速度）である使用速度向けの第１調整値７１を設定中であるか否かを確認する（ステップ♯２７）。使用速度向けの第１調整値７１の設定中ではないとき（ステップ♯２７のＮｏ）、第１制御部１０は第１調整値７１の設定を中止する（ステップ♯２８、ゲイン調整の中止）。さらに、第１制御部１０は、使用速度向けの第１調整値７１が設定済か否かを確認する（ステップ♯２９）。設定済でないとき（ステップ♯２９のＮｏ）、第１制御部１０は、使用速度向けの第１調整値７１の設定を開始する（ステップ♯２１０）。
【００８３】
設定中であるとき（ステップ♯２７のＹｅｓ）、又は、ステップ♯２１０の後、第１制御部１０は使用速度向けの第１調整値７１の設定を完了させる（ステップ♯２１１）。使用速度向けの第１調整値７１の設定を完了したとき（ステップ♯２１１）、又は、設定済のとき（ステップ♯２９のＹｅｓ）、第１制御部１０は、使用速度の第１調整値７１に基づき、第１増幅回路１９のゲインを設定する（ステップ♯２１２）。
【００８４】
第１増幅回路１９のゲイン設定後、第１制御部１０は使用速度での原稿の搬送を開始する（ステップ♯２１３）。第１制御部１０は、第１読取ユニット１２に原稿の裏面の読み取りを開始させる（ステップ♯２１４）。第１制御部１０は、セットされた原稿のページ数分、裏面の読み取りが繰り返させる。これにより、原稿の裏面を読み取るジョブが完了する（ステップ♯２１５）。ステップ♯２１５の後、フローは、ステップ♯２１に戻る。
【００８５】
操作パネル４が両面読取ジョブの実行開始指示を受け付けない限り、第１制御部１０は、第１調整値７１の設定を続ける。片面を読み取るジョブが実行されても第１調整値７１の設定を中断しない。但し、片面の送り読み取りのとき、原稿が白基準ローラー１ｇを通過している間、第１制御部１０は、第１読取ユニット１２に読み取りを行わせない。
【００８６】
（第２調整値７２の設定時の処理）
次に、図１４、図１５を用いて、実施形態に係る第２調整値７２の設定時の処理の流れの一例を説明する。図１４、図１５は、実施形態に係る第２調整値７２の設定時の処理の流れの一例を示す図である。
【００８７】
第１調整値７１の設定時間と第２調整値７２の設定時間に差が出ることがある。そのため、第１制御部１０は独自に図１２、図１３のフローチャートを実行する。第２制御部２０は独自に図１４、図１５のフローチャートを実行する。
【００８８】
図１４のスタートは第２調整値７２の設定を開始した時点である。主制御部１０１は、原稿の読取ジョブの実行開始指示を受け付けたか否かを確認する（ステップ♯３１）。ここでの読取ジョブは、片面読取と両面読取の両方を含む。操作パネル４の出力に基づき、主制御部１０１は、原稿を読み取るジョブについて、スタートキー４３ａが操作されたことを認識する。読取ジョブの実行開始指示がなされたとき、主制御部１０１は送り読取指示、テーブル読取指示、又は、両面読取指示を第２制御部２０に通知する。
【００８９】
操作パネル４が読取ジョブの実行開始指示を受け付けていないとき（ステップ♯３１のＮｏ）、第２制御部２０は設定中の第２調整値７２の設定が完了したか否かを確認する（ステップ♯３２）。完了していないとき（ステップ♯３２のＮｏ）、フローはステップ♯３１に戻る。第２制御部２０は設定中の原稿搬送速度向けの第２調整値７２の設定を続ける。完了したとき（ステップ♯３２のＹｅｓ）、第２制御部２０は、全ての原稿搬送速度向けの第２調整値７２の設定が完了したか否かを確認する（ステップ♯３３）。完了したとき（ステップ♯３３のＹｅｓ）、第２制御部２０は本フローを終了させる（エンド）。
【００９０】
完了していないとき（ステップ♯３３のＮｏ）、第２制御部２０は、次に設定対象とする原稿搬送速度を決定する（ステップ♯３４）。操作パネル４でジョブの種類が選択されているとき、第２制御部２０は、第２調整値７２の設定が未完了の原稿搬送速度のうち、選択されたジョブの種類で最も使用回数が多い原稿搬送速度を設定対象とする。操作パネル４でジョブの種類が選択されていないとき、第２制御部２０は、実行回数が最も多いジョブの種類を認識する。そして、第２制御部２０は、第２調整値７２の設定が未完了の原稿搬送速度のうち、認識したジョブの種類で最も使用回数が多い原稿搬送速度を設定対象とする。第２制御部２０は、決定した原稿搬送速度向けの第２調整値７２の設定を開始する（ステップ♯３５）。
【００９１】
操作パネル４が読取ジョブの実行開始指示を受け付けたとき（ステップ♯３１のＹｅｓ）、第２制御部２０は実行開始指示がなされた読取ジョブの原稿搬送速度（第１移動枠２ｅの移動速度）を認識する（ステップ♯３６）。主制御部１０１は、読取指示とともに、これから実行する読取ジョブの原稿搬送速度を第２制御部２０に通知する。第２制御部２０は、認識した原稿搬送速度である使用速度向けの第２調整値７２を設定中であるか否かを確認する（ステップ♯３７）。使用速度向けの第２調整値７２の設定中ではないとき（ステップ♯３７のＮｏ）、第２制御部２０は、第２調整値７２の設定を中止する（ステップ♯３８、ゲイン調整の中止）。さらに、第２制御部２０は、使用速度向けの第２調整値７２が設定済か否かを確認する（ステップ♯３９）。設定済でないとき（ステップ♯３９のＮｏ）、第２制御部２０は、使用速度向けの第２調整値７２の設定を開始する（ステップ♯３１０）。
【００９２】
設定中であるとき（ステップ♯３７のＹｅｓ）、又は、ステップ♯３１０の後、第２制御部２０は使用速度向けの第２調整値７２の設定を完了させる（ステップ♯３１１）。使用速度向けの第２調整値７２の設定を完了したとき（ステップ♯３１１）、又は、設定済のとき（ステップ♯３９のＹｅｓ）、第２制御部２０は、使用速度の第２調整値７２に基づき、第２増幅回路２７のゲインを設定する（ステップ♯３１２）。第２増幅回路２７のゲイン設定後、第２制御部２０は第２読取ユニット２１に原稿の表面の読み取りを開始させる（ステップ♯３１３）。やがて、原稿の表面を読み取るジョブが完了する（ステップ♯３１４）。ステップ♯３１４の後、フローはステップ♯３１に戻る。
【００９３】
このようにして、実施形態に係る画像読取装置（複合機１００）は、原稿搬送ユニット１１、第１読取ユニット１２、第１画像信号処理部１５、操作パネル４、第１制御部１０を含む。原稿搬送ユニット１１はセットされた原稿を搬送する。第１読取ユニット１２は第１イメージセンサー１７を含む。第１読取ユニット１２は搬送される原稿の裏面を読み取る。第１画像信号処理部１５は第１増幅回路１９を含む。操作パネル４はジョブに関する操作を受け付ける。第１制御部１０は第１増幅回路１９のゲインを調整するための第１調整値７１を設定する。第１増幅回路１９は、第１イメージセンサー１７が出力する第１画像信号Ｓ１を増幅する。第１画像信号処理部１５は、増幅後の第１画像信号Ｓ１に基づき原稿の裏面の画像データを生成する。第１制御部１０は、所定の開始時点に原稿搬送速度の種類ごとの第１調整値７１の設定を開始する。第１調整値７１の設定の開始後、操作パネル４が両面を読み取る設定のジョブである両面読取ジョブの実行開始指示を受け付けたとき、第１制御部１０は、当該両面読取ジョブの原稿搬送速度を認識する。第１制御部１０は、設定中の第１調整値７１が認識した原稿搬送速度である使用速度向けの第１調整値７１であるか否かを確認する。設定中の第１調整値７１が使用速度向けの第１調整値７１のとき、第１制御部１０は、第１調整値７１の設定を完了する。設定中の第１調整値７１が使用速度向けの第１調整値７１ではないとき、第１制御部１０は、第１調整値７１の設定を中断する。中断後、第１制御部１０は、使用速度向けの第１調整値７１の設定が完了しているか否かを確認する。第１調整値７１の設定が完了していないとき、第１制御部１０は、使用速度向けの第１調整値７１の設定を開始する。使用速度向けの第１調整値７１の設定が完了しているとき、又は、完了したとき、第１制御部１０は、使用速度での原稿搬送を原稿搬送ユニット１１に開始させる。第１制御部１０は、搬送原稿を第１読取ユニット１２に読み取らせる。
【００９４】
全種類の第１調整値７１の設定の完了前に両面読取ジョブの実行開始指示がなされたとき、これから実行する両面読取ジョブの原稿搬送速度に応じた第１調整値７１を速やかに設定することができる。これから実行する両面読取ジョブの原稿搬送速度と対応しないゲイン調整を中断することができる。必要な第１調整値７１を速やかに設定することができる。これにより、これから実行する両面読取ジョブの原稿搬送速度での裏面の読み取り準備を速やかに終わらせることができる。全種類の第１調整値７１の設定完了前にジョブを開始することができる。できるだけ速く、原稿裏面の読み取りを開始することができる。待ち時間が少なく、使い勝手のよい画像読取装置を提供することができる。
【００９５】
画像読取装置は記録データＤ１を記憶する記憶部３を含む。記録データＤ１は、ジョブの種類ごとに、ジョブで使用された原稿搬送速度を記録したデータである。操作パネル４はジョブの種類の選択を受け付ける。第１制御部１０は、電力供給の開始によるイニシャル動作の開始後、操作パネル４がジョブの種類の選択を受け付けたとき、記録データＤ１に基づき、選択されたジョブの種類で最も使用されている原稿搬送速度向けの第１調整値７１の設定を開始する。使用される可能性が高い原稿搬送速度向けの第１調整値７１から設定を開始することができる。ゲイン調整の中断が生じにくくなるように、第１調整値７１の設定順を定めることができる。両面読取ジョブの実行開始指示がなされたとき、必要な第１調整値７１が設定済である可能性を高めることができる。これにより、読取準備に要する時間（使用者の待ち時間）を平均的に短くすることができる。
【００９６】
ある原稿搬送速度の第１調整値７１の設定が完了したとき、第１制御部１０は、第１調整値７１の設定が未完了の原稿搬送速度のうち、選択されたジョブの種類で最も使用回数が多い原稿搬送速度向けの第１調整値７１の設定を開始する。使用回数が多い原稿搬送速度向けの第１調整値７１から設定することができる。ゲイン調整の中断が生じにくくなるように、第１調整値７１の設定順を定めることができる。読取準備に要する時間（使用者の待ち時間）を平均的に短くすることができる。
【００９７】
記録データＤ１は、ジョブの種類ごとに、ジョブの実行回数を記憶する。イニシャル動作の開始後、操作パネル４がジョブの種類の選択を受け付ける前に操作パネル４の特定キーが操作されたとき、第１制御部１０は、今まで最も実行回数が多いジョブの種類で最も使用されている原稿搬送速度向けの第１調整値７１の設定を開始する。イニシャル動作の開始後、最初に特定キーを操作するだけで、実行される可能性が高いジョブで使用される可能性が高い原稿搬送速度向けの第１調整値７１から設定を開始させることができる。
【００９８】
第１制御部１０は、両面読取ジョブの間、第１調整値７１の設定を行わない。両面読取ジョブの完了後、第１制御部１０は、設定未完了の第１調整値７１の設定を開始する。第１調整値７１の設定よりもジョブ（読み取り）を優先させることができる。第１調整値７１の設定を後回しにすることができる。最終的に全種類の第１調整値７１を設定することができる。
【００９９】
画像読取装置は、第２読取ユニット２１、第２画像信号処理部２３、第２制御部２０を含む。第２読取ユニット２１は第２イメージセンサー２５を含む。第２読取ユニット２１は搬送される原稿の表面を読み取る。第２画像信号処理部２３は第２増幅回路２７を含む。第２制御部２０は第２増幅回路２７のゲインを調整するための第２調整値７２を設定する。第２増幅回路２７は、第２イメージセンサー２５が出力する第２画像信号Ｓ２を増幅する。第２画像信号処理部２３は、増幅後の第２画像信号Ｓ２に基づき原稿の表面の画像データを生成する。第２制御部２０は、開始時点に第２調整値７２の設定を開始する。第２調整値７２の設定の開始後、操作パネル４が原稿の片面又は両面を読み取る読取ジョブの実行開始指示を受け付けたとき、第２制御部２０は、当該読取ジョブの原稿搬送速度を認識する。第２制御部２０は、設定中の第２調整値７２が認識した原稿搬送速度である使用速度向けの第２調整値７２であるか否かを確認する。設定中の第２調整値７２が使用速度向けの第２調整値７２のとき、第２制御部２０は、第２調整値７２の設定を完了する。設定中の第２調整値７２が使用速度向けの第２調整値７２ではないとき、第２制御部２０は、第２調整値７２の設定を中断する。中断後、第２制御部２０は、使用速度向けの第２調整値７２の設定が完了しているか否かを確認する。第２調整値７２の設定が完了していないとき、第２制御部２０は、使用速度向けの第２調整値７２の設定を開始する。使用速度向けの第２調整値７２の設定が完了しているとき、又は、完了したとき、第２制御部２０は、原稿を第２読取ユニット２１に読み取らせる。
【０１００】
この構成により、全種類の第２調整値７２の設定の完了前に読取ジョブの実行開始指示がなされたとき、これから実行する読取ジョブの原稿搬送速度に応じた第２調整値７２を速やかに設定することができる。これから実行する読取ジョブの原稿搬送速度と対応しないゲイン調整を中断することができる。必要な第２調整値７２を速やかに設定することができる。これにより、これから実行する読取ジョブの原稿搬送速度での表面の読み取り準備を速やかに終わらせることができる。全種類の第２調整値７２の設定完了前にジョブを開始することができる。できるだけ速く、表面の読み取りを開始することができる。待ち時間が少なく、使い勝手のよい画像読取装置を提供することができる。
【０１０１】
画像読取装置は記録データＤ１を記憶する記憶部３を含む。記録データＤ１は、ジョブの種類ごとに、ジョブで使用された原稿搬送速度を記録したデータである。操作パネル４はジョブの種類の選択を受け付ける。第２制御部２０は、電力供給の開始によるイニシャル動作の開始後、操作パネル４がジョブの種類の選択を受け付けたとき、記録データＤ１に基づき、選択されたジョブの種類で最も使用されている原稿搬送速度向けの第２調整値７２の設定を開始する。これから実行するジョブで使用される可能性が高い原稿搬送速度向けの第２調整値７２から設定を開始することができる。ゲイン調整の中断が生じにくくなるように、第２調整値７２の設定順を定めることができる。ジョブの実行開始指示がなされたとき、必要な第２調整値７２が設定済である可能性を高めることができる。これにより、読取準備に要する時間（使用者の待ち時間）を平均的に短くすることができる。
【０１０２】
ある原稿搬送速度の第２調整値７２の設定が完了したとき、第２制御部２０は、第２調整値７２の設定が未完了の原稿搬送速度のうち、選択されたジョブの種類で最も使用回数が多い原稿搬送速度向けの第２調整値７２の設定を開始する。使用回数が多い原稿搬送速度向けの第２調整値７２から設定することができる。ゲイン調整の中断が生じにくくなるように、第２調整値７２の設定順を定めることができる。読取準備に要する時間（使用者の待ち時間）を平均的に短くすることができる。
【０１０３】
記憶部３は、ジョブの種類ごとに、ジョブの実行回数を記憶する。イニシャル動作の開始後、操作パネル４がジョブの種類の選択を受け付ける前に操作パネル４の特定キーが操作されたとき、第２制御部２０は、今まで最も実行回数が多いジョブの種類で最も使用されている原稿搬送速度向けの第２調整値７２の設定を開始する。イニシャル動作の開始後、最初に特定キーを操作するだけで、実行される可能性が高いジョブで使用される可能性が高い原稿搬送速度向けの第２調整値７２から設定を開始させることができる。
【０１０４】
第２制御部２０は、原稿の読み取り中、第２調整値７２の設定を行わない。原稿の読み取り完了後、第２制御部２０は設定未完了の第２調整値７２の設定を開始する。調整値の設定よりもジョブ（読み取り）を優先させることができる。第２調整値７２の設定を後回しにすることができる。最終的に全種類の第２調整値７２を設定することができる。
【産業上の利用可能性】
【０１０５】
本発明は、画像読取装置（画像形成装置）に利用可能である。
【符号の説明】
【０１０６】
１００  複合機（画像読取装置）          １０    第１制御部
１１    原稿搬送ユニット                １２    第１読取ユニット
１５    第１画像信号処理部              １７    第１イメージセンサー
１９    第１増幅回路                    ２０    第２制御部
２１    第２読取ユニット                ２３    第２画像信号処理部
２５    第２イメージセンサー            ２７    第２増幅回路
３      記憶部                          ４      操作パネル
４３ａ  スタートキー（特定キー）        ７１    第１調整値
７２    第２調整値                      Ｄ１    記録データ
Ｓ１    第１画像信号                    Ｓ２    第２画像信号
【図１】
2019087812.tif 000003
【図２】
2019087812.tif 000004
【図３】
2019087812.tif 000005
【図４】
2019087812.tif 000006
【図５】
2019087812.tif 000007
【図６】
2019087812.tif 000008
【図７】
2019087812.tif 000009
【図８】
2019087812.tif 000010
【図９】
2019087812.tif 000011
【図１０】
2019087812.tif 000012
【図１１】
2019087812.tif 000013
【図１２】
2019087812.tif 000014
【図１３】
2019087812.tif 000015
【図１４】
2019087812.tif 000016
【図１５】
2019087812.tif 000017